(57)【特許請求の範囲】
【請求項１】
上水又は熱媒体を加熱する燃焼装置に備えられ、主に燃焼ガスの潜熱を回収する際に発生するドレンを外部に排出するドレン排出系統の一部を形成する貯留部を有し、当該貯留部は常時一定水位まで液体で満たされており、貯留部の水位が所定の水位未満となれば、強制的に供給された上水が通過する給水口を備えた中和装置であって、
給水口を通過した上水が通過する有底空間を有し、当該有底空間には、吐出部が設けられ、有底空間に導入された上水は、当該吐出部を介して貯留部に吐出され、
貯留部は、一部又は全部の領域に中和剤が充填され、導入されたドレンによって、水位が一定水位となった際に、ドレンを下流側に排出し、
給水口は、有底空間の底面より高位置に設けられると共に、前記一定水位の状態の水面を基準に、一定範囲以上離れた領域に配されており、当該有底空間の吐出部は、前記一定水位の状態の水位よりも高位置にあることを特徴とする中和装置。
【請求項２】
前記有底空間は、貯留部の直上位置から逸脱した位置に配されていることを特徴とする請求項１に記載の中和装置。
【請求項３】
前記有底空間の底面は、貯留部の一定水位の状態の水面よりも高位置にあることを特徴とする請求項１又は２に記載の中和装置。
【請求項４】
前記有底空間は、隔壁が設けられ、当該隔壁に吐出部が形成されていることを特徴とする請求項１〜３のいずれかに記載の中和装置。
【請求項５】
前記吐出部は、スリット状であり、粒形状の中和剤が侵入できない程度の大きさであることを特徴とする請求項４に記載の中和装置。
【請求項６】
前記有底空間の上水の流れ方向下流側には、上水の流れ方向下流側に向けて下り勾配の傾斜部が設けられていることを特徴とする請求項１〜５のいずれかに記載の中和装置。
【請求項７】
前記有底空間は、平面視形状がほぼ円形状であることを特徴とする請求項１〜６のいずれかに記載の中和装置。
【請求項８】
燃料を燃焼する燃焼部と、燃焼部で生成される燃焼ガスの主に顕熱を回収する一次熱交換器と、当該燃焼ガスの主に潜熱を回収する二次熱交換器と、当該二次熱交換器で発生したドレンを外部に排出するドレン排出系統と、当該ドレン排出系統の一部を形成する請求項１〜７のいずれかに記載の中和装置を備えていることを特徴とする燃焼装置。
【発明の詳細な説明】
【技術分野】
【０００１】
本発明は、燃焼ガスの潜熱を回収する際に発生するドレンを中和する中和装置に関するものである。また、その中和装置を備えた燃焼装置に関するものである。
【背景技術】
【０００２】
近年、バーナを燃焼させた際に発生する熱の熱交換効率を向上するべく、燃焼ガスの潜熱までも回収する潜熱回収型の燃焼装置が市場に普及している。この潜熱回収型の燃焼装置は、主に燃焼ガス中の水蒸気が液化する際に発生する熱を回収するものであるため、潜熱回収を行う熱交換器（二次熱交換器）では、多量のドレンが発生する。そして、このドレンは、燃焼時に生成された窒素酸化物が溶け込んで、酸性を呈することが知られている。
【０００３】
そのため、この種の燃焼装置は、ドレンを外部に導くドレン排出系統を有し、その流路の中途に酸性のドレンを中和する中和装置が備えられた構成とされている。すなわち、二次熱交換器において発生した酸性のドレンは、その酸性を維持したまま外部に排出されることはなく、中和装置で中和されてから外部に排出されるため、環境に悪影響を及ぼすというおそれはない。
【０００４】
ところが、ドレン排出系統と、燃焼ガスの排気流路は連通した関係であるため、本来、燃焼装置の排気筒を介して外部に排出されるべき燃焼ガスが、ドレン排出系統を介して、外部に排出されてしまう懸念があった。特に、屋内設置型の燃焼装置では、ドレン排出系統から燃焼ガスが排出されると、居住空間内である屋内に燃焼ガスが排出されてしまうため、居住者の安全性等の観点からすれば、このような不具合は避けるべき事項の１つであった。
【０００５】
そこで、この対策として、中和装置の容器内の燃焼ガスが通過し得る部分を、ドレンで所定の水位まで満たして水封し、その水封構造によって、燃焼ガスの流通を強制的に阻止する方策が一般的に採用されている。
【０００６】
しかしながら、このドレンによる水封構造は、容器内に所定量以上のドレンが貯留されている場合に限られるため、容器内に十分なドレンが貯留されていないとき等には有効に機能しない場合がある。例えば、新規に中和装置を設置した場合や、ドレンの凍結防止あるいはメンテナンスのために人為的に中和装置の容器内のドレンが抜き取られた場合等においては、容器内にそもそもドレンが存在しないため、水封は形成されない。また、中和装置の容器内にドレンが存在する場合であっても、何らかの原因によって水位が低下し、水封が形成されない場合もあり得る。このように、燃焼に伴って発生するドレンのみに依存する水封構造は、ドレン排出系統において燃焼ガスが通過し得る流路を確保してしまう場合があり、燃焼ガスの流通を有効的に阻止することができなかった。
【０００７】
そこで、特許文献１には、確実な水封の形成を目的として、容器内のドレンの水位に応じて、強制的に給水される中和装置を備えた燃焼装置の技術が開示されている。すなわち、特許文献１の燃焼装置は、電極によって、中和装置の容器内が基準水位以上であるか否かを監視し、基準水位より水位が低下すれば、所定の条件の下、補助給水管に水を通水させて、容器内の水位を基準水位以上に調整する構成である。これにより、特許文献１では、中和装置の容器内に確実に水封が形成されるため、燃焼ガスがドレン排出系統を通じて外部に排出されることは起こり得ない。
【先行技術文献】
【特許文献】
【０００８】
【特許文献１】特開２００９−１５０５７６号公報
【発明の概要】
【発明が解決しようとする課題】
【０００９】
ところが、特許文献１の中和装置は、突発的に、何らかの原因で容器が傾いたり、燃焼に伴って生じる振動によって振動した場合に、容器内のドレン流路（以下、ドレン側流路ともいう）と補助給水管（以下、給水側流路ともいう）とが連結される関係（クロスコネクション）になってしまう可能性があった。
この理由としては、特許文献１における中和装置は、貯留されたドレンの水面の直上方向であって、その水面から所定値以上離れた位置に、単に間隔を空けて、給水部が設けられた構成とされていることが挙げられる。すなわち、特許文献１では、給水側流路とドレン側流路との間に、空間という間隔を設けたに過ぎなかったため、容器の傾きや、振動による水位の変化によって、給水側流路とドレン側流路とが連結し易い構成となっていた。
【００１０】
また、中和剤は、液体に浸っている時間に応じて消耗する量が増加するため、一般的には、出来る限り多くの中和剤を容器内に確保しておくことが好ましい。そのため、この種の中和装置は、給水側流路とドレン側流路との間に形成された空間にも中和剤が存在する場合があり、この場合は、容器の傾きや、振動によって中和剤自体も移動して水位の変動をより大きくするため、さらにクロスコネクションの関係を回避することが困難となる場合があった。
【００１１】
そこで、本発明では、従来技術の問題点に鑑み、容器内に出来る限り多くの中和剤を充填した場合であっても、突発的な容器の傾きや振動によって、ドレン側の流路と給水側の流路が、クロスコネクションの関係にならない中和装置、並びに、燃焼装置を提供することを課題とする。
【課題を解決するための手段】
【００１２】
上記課題を解決するため、請求項１に記載の発明は、上水又は熱媒体を加熱する燃焼装置に備えられ、主に燃焼ガスの潜熱を回収する際に発生するドレンを外部に排出するドレン排出系統の一部を形成する貯留部を有し、当該貯留部は常時一定水位まで液体で満たされており、貯留部の水位が所定の水位未満となれば、強制的に供給された上水が通過する給水口を備えた中和装置であって、給水口を通過した上水が通過する有底空間を有し、当該有底空間には、吐出部が設けられ、有底空間に導入された上水は、当該吐出部を介して貯留部に吐出され、貯留部は、一部又は全部の領域に中和剤が充填され、導入されたドレンによって、水位が一定水位となった際に、ドレンを下流側に排出し、給水口は、有底空間の底面より高位置に設けられると共に、前記一定水位の状態の水面を基準に、一定範囲以上離れた領域に配されており、当該有底空間の吐出部は、前記一定水位の状態の水位よりも高位置にあることを特徴とする中和装置である。
なお、「一定範囲以上離れた領域」とは、クロスコネクションを回避するために、水道法で規定された条件で、上水流路と雑水流路との最低限離すべき距離である。また、「液体」とは、ドレンのみ、又は、上水とドレンの混合水を意味している。
【００１３】
本発明の中和装置は、基本構成として、貯留部における水封を確実に形成可能にする給水口を備えており、その給水口と、貯留部に貯留されるドレンとが、貯留部の傾きや振動等の影響によって、容易に連結状態（クロスコネクション）となり得ない構成とされている。すなわち、本発明では、有底空間が設けられ、給水口を通過した上水が、その有底空間の吐出部を介して、貯留部に吐出される。より具体的には、給水口は、有底空間の底面よりも高位置に配されると共に、貯留部における一定水位の状態の水面から一定範囲以上離れた領域に配され、さらに有底空間の吐出部が当該一定水位の状態の水面よりも高位置に配された構成とされている。これにより、上水が流れる給水部と、ドレンの水面とは、有底空間によって、確実に隔てられた状態となる。そのため、貯留部の水位が一定水位の状態の中、何らかの原因で、突発的に、容器の傾きや振動が発生して、ドレンの水面が多少上下に波打つ状態となったとしても、本発明では、有底空間に対する、そのドレンの浸水が制限されるため、給水口とドレンの水面が連結状態となる、所謂クロスコネクションの関係になる可能性が殆どない。
また、この作用効果は、中和剤を、ドレンの一定水位を超える程度に貯留部に充填した場合も同様であり、この場合に、貯留部におけるドレンの水面が大幅に上下変化するようなことがあったとしても、クロスコネクションの関係になることを防止できる。
【００１４】
請求項２に記載の発明は、前記有底空間は、貯留部の直上位置から逸脱した位置に配されていることを特徴とする請求項１に記載の中和装置である。
【００１５】
かかる構成によれば、有底空間が貯留部の直上位置から逸脱した位置にあるため、貯留部における突発的な水面の変化の影響を受けにくい。すなわち、貯留部におけるドレンの水面が、貯留部の天面に到達するほど大きく波打ったり、傾いたとしても、突発的なものであれば、その水面変化はその水面の直上領域に及ぶに止まる。そのため、本発明によれば、貯留部の直上位置から逸脱した有底空間の領域までドレンが浸水する可能性は殆どない。
【００１６】
請求項３に記載の発明は、前記有底空間の底面は、貯留部の一定水位の状態の水面よりも高位置にあることを特徴とする請求項１又は２に記載の中和装置である。
【００１７】
かかる構成によれば、有底空間の底面が貯留部の一定水位の状態の水面よりも高位置にあるため、多少の水位の上昇があっても、クロスコネクションを防止できる。
【００１８】
請求項４に記載の発明は、前記有底空間は、隔壁が設けられ、当該隔壁に吐出部が形成されていることを特徴とする請求項１〜３のいずれかに記載の中和装置である。
【００１９】
かかる構成によれば、有底空間に導入された上水は、隔壁に設けられた吐出部を介して貯留部に吐出されるため、貯留部に貯留されたドレンが有底空間内に浸水し難い。すなわち、本発明では、貯留部側でドレンの水面が突発的に大幅に変化して、その水面が有底空間の底面を大きく超えることがあったとしても、隔壁によって、有底空間への浸水を防ぐことができるため、クロスコネクションの可能性を限りなく低いものとすることができる。
【００２０】
請求項５に記載の発明は、前記吐出部は、スリット状であり、粒形状の中和剤が侵入できない程度の大きさであることを特徴とする請求項４に記載の中和装置である。
【００２１】
かかる構成によれば、粒形状の中和剤が貯留部に多量に充填された場合であっても、中和剤が有底空間内に侵入することがない。これにより、本発明では、中和剤が有底空間内に溜まって、クロスコネクションを引き起こしてしまうというおそれがない。
【００２２】
請求項６に記載の発明は、前記有底空間の上水の流れ方向下流側には、上水の流れ方向下流側に向けて下り勾配の傾斜部が設けられていることを特徴とする請求項１〜５のいずれかに記載の中和装置である。
【００２３】
かかる構成によれば、有底空間に導入された上水は、傾斜部によって、貯留部側に導かれて確実に吐出されるため、有底空間内に導入された上水が残留することがない。また、貯留部のドレンが有底空間内に浸水したとしても、そのドレンは、傾斜部によって、再び貯留部に導かれるため、有底空間内にドレンが滞留することもない。
【００２４】
本発明の中和装置は、前記有底空間は、平面視形状がほぼ円形状であることが望ましい。（請求項７）
【００２５】
請求項８に記載の発明は、燃料を燃焼する燃焼部と、燃焼部で生成される燃焼ガスの主に顕熱を回収する一次熱交換器と、当該燃焼ガスの主に潜熱を回収する二次熱交換器と、当該二次熱交換器で発生したドレンを外部に排出するドレン排出系統と、当該ドレン排出系統の一部を形成する請求項１〜７のいずれかに記載の中和装置を備えていることを特徴とする燃焼装置である。
【００２６】
本発明の燃焼装置は、中和装置において、貯留部と隔てられるように設けられた有底空間が設けられているため、何らかの原因で、突発的に、ドレンの水面が上下に波打つ状態となったとしても、有底空間によって、給水口とドレンの水面が連結状態となる、クロスコネクションの関係になることを防止することができる。
【発明の効果】
【００２７】
本発明の中和装置、並びに、燃焼装置では、ドレンが貯留される貯留部と隔てるように有底空間を設け、その有底空間内に上水を導入する構成としたため、貯留部におけるドレンの水面が変動した場合であっても、給水側流路とドレン側流路がクロスコネクションの関係になることがない。
【図面の簡単な説明】
【００２８】
【図１】本発明の実施形態に係る燃焼装置の筺体内部を示す構成図である。
【図２】本発明の実施形態に係る中和装置を示す斜視図である。
【図３】図２の中和装置を示す分解斜視図である。
【図４】図３の蓋部を別の角度から示す斜視図である。
【図５】図３の本体部を別の角度から示す斜視図である。
【図６】本体部における各部屋の底面壁の位置関係を概念的に示す説明図である。
【図７】本体部を示す平面図である。（実線矢印：ドレンの流れ方向、破線矢印：上水の流れ方向）
【図８】貯留部の側面壁に注目した概念図である。
【図９】有底空間の側面壁に注目した概念図である。
【図１０】図５の貯留部を示す断面斜視図である。
【図１１】本体部における開口、切欠き部、スリット、孔のそれぞれの位置関係及び本体部と蓋部との関係を概念的に示す説明図である。
【図１２】図３の本体部を示すＡ−Ａ断面図である。
【図１３】隔壁を示す正面図である。
【図１４】図３の有底空間のスロープ部を示すＢ−Ｂ断面図である。
【図１５】中和装置に中和剤を充填した状態を概念的に示す図で、（ａ）は本体部の平面図で、（ｂ）は中和装置の断面図である。
【図１６】（ａ）、（ｂ）、（ｃ）は、ドレン導入室及び第一中和室が上水で満たされるまでの上水の流れを示す説明図である。
【図１７】（ａ）、（ｂ）、（ｃ）は、第二中和室が液体（ドレンのみ、又は、ドレンと上水の混合水）で満たされるまでの液体の流れを示す説明図である。
【図１８】有底空間と、ドレンが正常に外部に排出される際のドレンの水位との関係を概念的に示す説明図である。
【図１９】隔壁の変形例を示す正面図である。
【発明を実施するための形態】
【００２９】
以下に、本発明の実施形態に係る燃焼装置１、並びに、中和装置１１について説明する。
本実施形態の中和装置１１は、灯油等の液体燃料を噴霧又は気化させて下方に向けて燃焼させる所謂逆燃式の燃焼部２を備え、その燃焼部２で生成される燃焼ガスの潜熱までも回収可能な潜熱回収型の燃焼装置１に好適である。
【００３０】
まず、燃焼装置１について説明する。
燃焼装置１は、図１に示すように、筺体３のほぼ中央に燃焼ケース５が配置され、その燃焼ケース５に燃焼部２と、一次熱交換器２０と、二次熱交換器２５とが内蔵されている。具体的には、燃焼ケース５は、バーナ側ケース５ａと、高さ方向（上下方向）に長いほぼ直方体状の縦長ケース５ｂと、幅方向（左右方向）に長い横長ケース５ｃとが内部で連通するように連結されて形成されたもので、バーナ側ケース５ａに燃焼部２が配され、縦長ケース５ｂに一次熱交換器２０が配され、横長ケース５ｃに二次熱交換器２５が配されている。
また、燃焼装置１の筺体３の左側には、燃焼ガスを外部に排気する排気筒１０が配されている。具体的には、その排気筒１０は、燃焼装置１の筺体３の内外に渡るように配置されると共に、横長ケース５ｃの上部左側に接続された配置である。
【００３１】
すなわち、燃焼部２で燃焼ガスが生成されると、その燃焼ガスは、まず、下方に向けて進行し、一次熱交換器２０を通過して、二次熱交換器２５に流入する。そして、二次熱交換器２５に流入した燃焼ガスは、燃焼ガスの流れ方向を下方向から上方向に方向変換し、排気筒１０を通過して、外部に排気される。
なお、本実施形態の燃焼装置１は、図示しない送風機を有し、その送風機によって、燃焼に必要な空気が供給され、さらに燃焼部２で生成された燃焼ガスを下方に向けて流している。
【００３２】
また、一次熱交換器２０と二次熱交換器２５は、それぞれ燃焼ガスと熱交換する上水が流れる図示しない受熱管を有し、それらの受熱管と、図示しない入水側配管及び出湯側配管とが、燃焼装置の筺体３内で一連した流路を形成している。具体的には、上水の流れ方向上流側から、入水側配管、二次熱交換器２５、一次熱交換器２０、出湯側配管の順に直列的に接続されている。すなわち、燃焼装置１では、入水側配管を通過した上水は、二次熱交換器２５を流れた後、一次熱交換器２０内を流れることによって、順次熱交換され、その後、出湯側配管を介して給湯先に向けて供給される。
【００３３】
また、燃焼ケース５であって、横長ケース５ｃの内部には、二次熱交換器２５の潜熱回収時に発生するドレンを回収する回収部（図示しない）が設けられ、当該回収部から燃焼装置１の下部側に向けてドレンを流すドレン排出系統７が接続されている。すなわち、このドレン排出系統７は、横長ケース５ｃよりも筺体３の下方側に位置するもので、中和装置１１と、図示しない回収部と中和装置１１とを繋ぐドレン導入側配管３７と、中和装置１１で中和されたドレンを外部に導くドレン外部排出配管３８とによって構成されている。
また、本実施形態の中和装置１１は、中和装置１１内に水封を確実に形成するべく、給水源から供給される上水が通過する中和器給水管９が接続されている。
【００３４】
続いて、特徴的構成を備えた中和装置１１について詳細に説明する。
なお、以下の説明においては、上下左右の位置関係については、特に断りのない限り、図１に示す通常の設置状態を基準として説明する。
本実施形態の中和装置１１は、前記したように、装置内に水封を確実に形成するべく、中和器給水管９が接続されており、所定の条件が満足すると、給水源から供給された上水が中和器給水管９を介して導入される構成とされている。
具体的には、中和装置１１は、図２に示すように、外観がほぼ「Ｌ」字型の容器であり、ドレン導入側配管３７を通過したドレンが一時的に貯留される貯留部１５と、中和器給水管９を流れた上水が通過する有底空間１６とを有する本体部１２と、その本体部１２の上部に着脱可能に設けられた蓋部１３とを備えた構成とされている。
【００３５】
蓋部１３は、図３に示すように、平面視形状がほぼ「Ｌ」字型の天面壁４０と、その天面壁４０の縁端を囲繞するようにほぼ直交する方向、具体的には、天面壁４０に対して垂直下方に向けて立設した側面壁４１と、本体部１２の上部が嵌り込む嵌合溝４９（図４）とを有する構成である。
【００３６】
天面壁４０には、給水部３３と、ドレン導入側接続部３５と、４つの電極挿通孔４５〜４８が設けられている。
給水部３３は、中和器給水管９を通過した上水を本体部１２の有底空間１６に導入するべく、天面壁４０の厚み方向に貫通した配管継ぎ手部である。具体的には、給水部３３は、図３に示すように、天面壁４０の「Ｌ」の張り出し長さが短い側の領域（以下、短領域という）４２であって、図４に示すように、側面壁４１の立設側において、短領域４２のほぼ中央に給水口２９が位置するように配されている。なお、本実施形態では、給水部３３に対して、ほぼ水平方向（天面壁４０に沿う方向）に延びた補助継ぎ手４３が装着されている。そして、その補助継ぎ手４３は、内径が、中和器給水管９（図１）の外径とほぼ同一のサイズに設定されている。すなわち、中和器給水管９は、補助継ぎ手４３の内径側に沿って挿着されて接続される。
【００３７】
ドレン導入側接続部３５は、図３に示すように、短領域４２と天面壁４０の「Ｌ」の張り出し長さが長い側の領域（以下、長領域という）４４の双方の基端側に位置する領域（以下、基端領域という）５０に位置し、ドレン導入側配管３７（図１）を通過したドレンを、本体部１２の貯留部１５に導入するべく、天面壁４０の厚み方向に貫通した配管継ぎ手部である。そして、ドレン導入側接続部３５は、外径が、ドレン導入側配管３７の内径とほぼ同一あるいは若干大きいサイズに設定されている。すなわち、ドレン導入側配管３７は、ドレン導入側接続部３５の外径側に沿って、嵌め込むようにして接続される。
【００３８】
４つの電極挿通孔４５〜４８は、図３に示すように、長領域４４側であって長領域４４と基端領域５０の境界近傍に位置し、天面壁４０の厚み方向に貫通した孔で、後述する電極５５〜５８を挿通できる程度の大きさに設定されている。
【００３９】
ここで、電極挿通孔４５〜４８に挿通される４つの電極５５〜５８について説明する。
本実施形態の電極５５〜５８は、貯留部１５内の水位を検出するための公知の水位検出手段である。具体的には、電極５５はグランド電極であり、その他の電極５６〜５８は、それぞれ、オーバーフロー電極、給水制御電極、異常燃焼検知電極である。すなわち、この水位検出手段は、貯留部１５内において、グランド電極５５と、その他の電極５６〜５８のいずれかがドレン内に浸かった状態となれば、グランド電極５５とその他の電極との間で通電状態となり、貯留部１５内の水位がいかなるものであるかを判断することができるものである。
なお、オーバーフロー電極５６は、貯留部１５内のドレンの水位の異常上昇を検出するもので、給水制御電極５７は、ドレン排出系統７内の燃焼ガスの流通を阻止可能な水位が維持できているか否かを検出するもので、異常燃焼検知電極５８は、貯留部１５内の水位が異常に大きく低下して、ドレン排出系統７内の燃焼ガスの流通を阻止できない水位であることを検出するものである。
以上が、本実施形態で採用された電極５５〜５８の説明である。
【００４０】
嵌合溝４９は、天面壁４０の下面側、つまり側面壁４１が立設する側に設けられており、図４に示すように、外側嵌合溝４９ａと、内側嵌合溝４９ｂとで構成されている。外側嵌合溝４９ａは、側面壁４１とその側面壁４１に沿って配された外側溝形成壁６１とによって形成された溝で、内側嵌合溝４９ｂは、側面壁４１から離反した位置であって後述する貯留部１５のドレン導入室２１の一部に沿って配された１対の内側溝形成壁６２で形成された溝である。
なお、本実施形態では、蓋部１３は、嵌合溝４９に図示しないパッキンを嵌め込み、その状態で本体部１２に取り付ける構成とされている。
【００４１】
一方、本体部１２は、図３、５に示すように、上部側が開放された外観がほぼ「Ｌ」字型の容器であり、底面壁５１とその底面壁５１を囲繞するように立設された側面壁５２とで容器の外郭が形成されている。そして、本体部１２の容器の内部には、貯留部１５と有底空間１６が設けられている（図７）。
なお、以下においても、短領域４２、長領域４４、基端領域５０は、上記同様の位置として説明する（図７）。
【００４２】
まず、本体部１２の底面壁５１について説明する。
底面壁５１は、図２、５に示すように、高さ方向の位置が異なる３つの底面壁５１ａ、５１ｂ、５１ｃで構成されている。すなわち、底面壁５１は、図６に示すように、高さ方向の位置が低いものから、貯留部１５の底面の大半を形成する貯留部底面壁５１ａと、貯留部１５の底部の残部を形成する排出底面壁５１ｃと、有底空間１６の底面を形成する有底空間底面壁５１ｂとを有する。換言すれば、図７に示すように、長領域４４及び基端領域５０の底面を、貯留部底面壁５１ａと排出底面壁５１ｃが形成し、短領域４２の底面を、最も高さ方向の位置が高い有底空間底面壁５１ｂが形成している。
【００４３】
続いて、本体部１２の側面壁５２について説明する。
側面壁５２は、便宜上、貯留部１５側（長領域４４及び基端領域５０）と、有底空間１６側（短領域４２）に大別して説明する。
貯留部１５側の側面壁５２は、図８に示すように、貯留部底面壁５１ａ及び排出底面壁５１ｃをほぼ長方形状に取り巻くように配された部分で、本体部１２の「Ｌ」字の外側に位置する外基側面壁５２ａ及び外長基側面壁５２ｂと、「Ｌ」の内側に位置する内長側面壁５２ｄと、外基側面壁５２ａと内長側面壁５２ｄとを繋ぐと共に有底空間１６の下方に位置する有底下側面壁５２ｅと、外長基側面壁５２ｂと内長側面壁５２ｄとを繋ぐ長端側面壁５２ｆとで構成されている。すなわち、貯留部１５側の側面壁５２は、外基側面壁５２ａが長端側面壁５２ｆと対面した関係であり、外長基側面壁５２ｂが内長側面壁５２ｄ及び有底下側面壁５２ｅと対面した関係とされている。
【００４４】
有底空間１６側の側面壁５２は、図９に示すように、有底空間底面壁５１ｂをほぼ「コ」の字型状に取り巻くように配された部分で、本体部１２の「Ｌ」字の外側に位置する外短側面壁５２ｃと、本体部１２の「Ｌ」字の内側に位置する内短側面壁５２ｇと、外短側面壁５２ｃと内短側面壁５２ｇとを繋ぐ短端側面壁５２ｈとで構成されている。すなわち、有底空間１６側の側面壁５２は、有底下側面壁５２ｅよりも上側に位置すると共に、外短側面壁５２ｃと内短側面壁５２ｇが対面した関係であり、さらにその両者の間に短端側面壁５２ｈが配された関係とされている。したがって、有底空間１６は、短端側面壁５２ｈに対向する側面壁が欠落した構成であり、当該欠落部側を介して、貯留部１５と連通した関係とされている。
【００４５】
次に、本体部１２の貯留部１５について説明する。
貯留部１５は、図３、７、１０に示すように、ドレンを一時的に貯留して中和するラビリンス構造を有した貯留空間であり、底面壁５１に対してほぼ直交する方向、具体的には、貯留部１５は、貯留部底面壁５１ａに対して垂直上方に向けて立設した主仕切壁１７及び補助仕切壁１８によって、複数の部屋に分割されている。すなわち、貯留部１５は、主仕切壁１７及び補助仕切壁１８によって、ドレン導入室２１と、第一中和室２２と、第二中和室２３とに分割された構成である。
なお、本実施形態においては、主仕切壁１７と補助仕切壁１８は、相対的に高さが異なる構成とされており、主仕切壁１７の方が、補助仕切壁１８より頂部が高く設定されている。具体的には、図３、１１に示すように、主仕切壁１７は、本体部１２の側面壁５２とほぼ同一の高さとされており、補助仕切壁１８は、その主仕切壁１７の高さよりも若干低く設定されている。
【００４６】
ドレン導入室２１は、蓋部１３を本体部１２に取り付けた状態において、ドレン導入側接続部３５及び電極挿通孔４５〜４８の直下に位置する部屋であり、貯留部１５に導入されたドレンが、最初に入る空間である。具体的には、ドレン導入室２１は、図７、８に示すように、外基側面壁５２ａと直交する方向に延伸した第一主仕切壁１７ａと、外長基側面壁５２ｂと直交する方向に延伸した第二主仕切壁１７ｂと、外基側面壁５２ａと、外長基側面壁５２ｂとで囲まれた、平面視形状がほぼ長方形の部屋である。換言すれば、ドレン導入室２１は、外長基側面壁５２ｂに沿って延びた第一主仕切壁１７ａと、長領域４４側において外基側面壁５２ａに沿って延びた第二主仕切壁１７ｂと、本体部１２の側面壁５２の一部とで囲まれた、本体部１２の隅に位置する空間である。
【００４７】
第一中和室２２は、ドレン導入室２１を通過したドレンが、最初に中和される部屋であり、ドレン導入室２１と、第一主仕切壁１７ａを隔てて隣接した空間である。具体的には、第一中和室２２は、図７、８に示すように、ドレンの流れ方向上流側が、ドレン導入室２１に隣接しており、第一主仕切壁１７ａと、外基側面壁５２ａと、有底下側面壁５２ｅと、第一補助仕切壁１８ａとで囲まれた、平面視形状がほぼ長方形の部屋である。換言すれば、第一中和室２２は、ドレン導入室２１と、後述する有底空間１６との間に位置する空間である。なお、第一中和室２２には、所定量の中和剤が充填されており、本実施形態では、中和剤として、最小粒径が６ｍｍの炭酸カルシウムが採用されている。
【００４８】
そして、第一中和室２２とドレン導入室２１とは、図１０、１１に示すように、第一主仕切壁１７ａの高さ方向下部側に設けられた、ドレンを下流側に流すための開口（以下、ドレン上流側開口という）３０によって連通している。すなわち、ドレン導入室２１に導入されたドレンは、第一主仕切壁１７ａの下部側に設けられた２つのドレン上流側開口３０から第一中和室２２に流入する。なお、このドレン上流側開口３０は、図１０、１１に示すように、開口下縁が直線状で、開口上縁が波形状の開口形状であり、開口幅方向に長く伸びた長孔である。
【００４９】
さらに、本実施形態では、ドレン上流側開口３０と連通した縦長スリット５９が設けられている。この縦長スリット５９は、ドレン上流側開口３０のほぼ中央に位置し、当該位置の開口下縁から底面壁５１に向けて垂直下方に伸びた開口である。そして、縦長スリット５９は、ドレン上流側開口３０よりも底面壁５１側に存在する液体（主にドレン）のみを下流側に流すべく、スリット幅が粒形状の中和剤と比較すると、極めて小さい大きさに設定されている。換言すれば、縦長スリット５９は、燃焼ガスで運ばれる「すす」やゴミ等が通過し得ない大きさの開口である。なお、この縦長スリット５９に替えて、当該縦長スリット５９よりも大きめの開口を設け、濾紙状の不純物通過阻止手段を設けても構わない。
また、第一中和室２２の底面壁５１には、メンテナンス等の際に、ドレンを人為的に抜き取る水抜き栓６３が設けられている。この水抜き栓６３は、第一中和室２２における底面壁５１の部材厚方向に貫通した孔であり、通常時には、閉塞栓によって閉塞されている。
【００５０】
第二中和室２３は、第一中和室２２で中和されたドレンを、さらに中和して下流側のドレン外部排出配管３８に排出する部屋であり、第一中和室２２と同様の中和剤が所定量充填されている。そして、第二中和室２３は、第一中和室２２と第一補助仕切壁１８ａを隔てて隣接すると共に、ドレン導入室２１と第二主仕切壁１７ｂを隔てて隣接した空間である。具体的には、第二中和室２３は、図７、８に示すように、ドレンの流れ方向上流側が、第一中和室２２に隣接しており、第一補助仕切壁１８ａと、第二主仕切壁１７ｂと、外長基側面壁５２ｂと、長端側面壁５２ｆと、内長側面壁５２ｄとで囲まれた、平面視形状がほぼ長方形、且つ、第一中和室２２の平面視形状よりも大きい部屋である。換言すれば、第二中和室２３は、本体部１２の長領域４４の大半を占めた空間である。
【００５１】
そして、第二中和室２３と第一中和室２２とは、第一補助仕切壁１８ａの高さ方向上方側で連通している。すなわち、第一補助仕切壁１８ａは、前記したように、頂部が側面壁５２や主仕切壁１７よりも低い位置に設定されているため、本体部１２に蓋部１３を取り付けた状態において、第一補助仕切壁１８ａの頂部と蓋部１３との間に隙間が形成される構成である。さらに、本実施形態では、図１０、１１に示すように、第一補助仕切壁１８ａの頂部を、下方に向けて方形状に切り欠いた切欠き部３１が設けられているため、当該切欠き部３１及び頂部より上の隙間で連通している。したがって、第一中和室２２に導入されたドレンは、主に第一補助仕切壁１８ａの上部側に設けられた切欠き部３１から第二中和室２３に流入する。
【００５２】
また、本実施形態では、この切欠き部３１に対して、網状部材７０が取り付けられている。この網状部材７０は、第一中和室２２から第二中和室２３、あるいは、第二中和室２３から第一中和室２２へ中和剤が流れ込むことを防止する中和剤侵入防止手段であり、中和剤の粒径より小さい網の目のものが採用されている。すなわち、網状部材７０の網の目の１つの最大開口幅が、６ｍｍ未満、好ましくは５〜４ｍｍ未満のものである。
【００５３】
また、第二中和室２３内部は、２つの補助仕切壁１８ｂ、１８ｃによって、３つの空間に分割され、ドレンが蛇行して下流に流れる流路構造とされている。具体的には、第二補助仕切壁１８ｂと第三補助仕切壁１８ｃは、いずれも外長基側面壁５２ｂと内長側面壁５２ｄを繋ぐ方向（以下、空間分割方向という）に配されて、第二中和室２３内を、図７、１１に示すように、一次空間６５、二次空間６６、三次空間６７に分割すると共に、各空間６５〜６７の境目に開口、スリットあるいは切欠きを設けて水の流れを確保している。
【００５４】
より詳細に説明すると、一次空間６５は、第二中和室２３における最上流に位置する空間である。すなわち、一次空間６５は、第二補助仕切壁１８ｂを、第一補助仕切壁１８ａ及び第二主仕切壁１７ｂに対して、一定の距離離反した位置で壁面同士が対面するように配されて形成されている。そして、一次空間６５は、第二補助仕切壁１８ｂの空間分割方向端部側と外長基側面壁５２ｂとの間に隙間（以下、壁面沿いスリットという）３２を設け、その壁面沿いスリット３２から隣接する二次空間６６に対してドレンを流出する。
【００５５】
また、本実施形態では、第二補助仕切壁１８ｂの空間分割方向中途の位置に、頂部をほぼ方形状に切り欠いた臨時用切欠き部６８を有し、壁面沿いスリット３２に詰まり等が生じた場合に、臨時的に、その臨時用切欠き部６８からドレンを下流側に通過させる構成とされている。
【００５６】
二次空間６６は、第二中和室２３における中盤の空間である。すなわち、二次空間６６は、図７に示すように、第三補助仕切壁１８ｃを、第二補助仕切壁１８ｂに対して、一定の距離離反した位置で壁面同士が対面するように設けて形成されている。なお、二次空間６６は、一次空間６５よりも、平面視した開口面積が大きく設定されており、容積量が増大された構成である。そして、二次空間６６は、第三補助仕切壁１８ｃの下部側であって、空間分割方向中途の位置に、正面視形状がほぼ方形状のドレン下流側開口３４を設け、そのドレン下流側開口３４から隣接する三次空間６７に対してドレンを流出する。
【００５７】
また、本実施形態では、第三補助仕切壁１８ｃの空間分割方向中途の位置に、第二補助仕切壁１８ｂに設けられたものと同様の臨時用切欠き部６８が設けられている。
【００５８】
三次空間６７は、第二中和室２３における最下流に位置する空間である。すなわち、三次空間６７は、第三補助仕切壁１８ｃと長端側面壁５２ｆとで挟まれた空間である。そして、三次空間６７は、貯留部底面壁５１ａよりも高位置に配された排出底面壁５１ｃに、厚み方向に貫通したドレン排出部３６を設け、そのドレン排出部３６を介して、ドレン外部排出配管３８側にドレンを排出する。
【００５９】
なお、本実施形態では、ドレン排出部３６に中和剤が侵入しないように、ドレン排出部３６を囲繞した孔囲繞壁５３が設けられている。この孔囲繞壁５３は、排出底面壁５１ｃから垂直上方に立設した壁である。そして、この孔囲繞壁５３は、ドレン排出部３６の囲繞方向端部側と長端側面壁５２ｆとの間に隙間を形成し、その隙間からドレンをドレン排出部３６に導いている。すなわち、孔囲繞壁５３は、ドレンの流路を確保しつつ、ドレン排出部３６への中和剤の侵入を阻止する異物侵入阻止手段である。
【００６０】
また、第二中和室２３の底面壁５１であって、第三補助仕切壁１８ｃを跨ぐ位置には、第一中和室２２に設けられたものと同様の水抜き栓６３が設けられている。換言すれば、第二中和室２３に設けられた水抜き栓６３は、二次空間６６及び三次空間６７に跨るような配置とされている。
【００６１】
また、第二中和室２３は、一次空間６５から三次空間６７に渡って、高さ方向中途の位置から底面壁５１に向けて、開口面積が徐々に減縮する構成とされている。具体的には、第二中和室２３は、図１０、１２に示すように、第二中和室２３を構成するいずれかの側面壁５２が、ドレン下流側開口３４の上縁の位置と排出底面壁５１ｃの位置との間の位置ｓから、下方に向かって、本体部１２の内側方向に傾斜した形状とされている。より詳細には、内長側面壁５２ｄは、ドレン下流側開口３４の上縁より若干上方の位置から下方に向けて傾斜した形状で、長端側面壁５２ｆは、排出底面壁５１ｃとほぼ同一の位置から下方に向けて傾斜した形状である。
【００６２】
続いて、本体部１２の有底空間１６について説明する。
有底空間１６は、給水源から供給される上水が通過する部屋であり、図３、５、７に示すように、外基側面壁５２ａと内長側面壁５２ｄが交差する位置において、貯留部１５から張り出すように配された空間である。具体的には、有底空間１６は、貯留部１５の第一中和室２２と隣接した位置であると共に、その第一中和室２２を挟んで、ドレン導入室２１と対向する位置に配されている。そして、有底空間１６は、貯留部１５との境界近傍に、有底空間底面壁５１ｂに対して垂直上方に向けて立設した、平面視形状が円弧状の隔壁１９が設けられて、有底空間１６と貯留部１５との境界が決定されている。すなわち、有底空間１６は、外短側面壁５２ｃと、内短側面壁５２ｇと、短端側面壁５２ｈと、隔壁１９とで囲まれたほぼ円形状の空間である。
【００６３】
また、隔壁１９は、頂部から下方に向けて切り欠いた湯水吐出用のスリット部（以下、湯水用スリットという）２７が設けられており、当該湯水用スリット部２７を介して、上水が貯留部１５側に吐出する構成である。この湯水用スリット部２７は、図１３に示すように、複数（本実施形態では５つ）のスリット３９を有し、各スリット３９が、隔壁１９の中央側で群を形成した中央スリット群２７ａと、その中央スリット群２７ａから外側（隔壁１９の円弧方向端部側）に離反した位置の外側スリット２７ｂとを形成してなるものである。具体的には、本実施形態では、中央スリット群２７ａは、３つのスリット３９で形成されており、各スリット３９同士の間隔ｏが密（スリット３９の開口幅程度）にされている。そして、外側スリット２７ｂは、１つのスリット３９で形成されており、中央スリット群２７ａに対して、円弧方向であって、中央スリット群２７ａの各スリット３９同士の間隔ｏよりも広い間隔ｐで離反した配置とされている。
【００６４】
また、有底空間１６の有底空間底面壁５１ｂには、図１４に示すように、上水の流れ方向下流側に向かって下り勾配のスロープ部（傾斜部）５４が設けられている。このスロープ部５４は、図７に示すように、ほぼ全体が隔壁１９の内側に収まるサイズに設定されている。さらに、スロープ部５４は、上水の流れ方向下流側端部が、隔壁１９のスリット部２７の開口下端縁よりも若干下方に位置する構成である。すなわち、有底空間１６においては、隔壁１９の下方側の一部は、スロープ部５４との間で段差を形成しており、上水の堰として機能する。したがって、有底空間１６を通過する上水は、スロープ部５４に流れ込んで、スロープ部５４の下流側端部に達すると、隔壁１９のスリット部２７の下端部を乗り越えるようにして貯留部１５側に吐出される。
【００６５】
次に、中和装置１１における各部分における位置関係と、中和剤の状態について説明する。
中和装置１１は、本体部１２の上部開放端側に蓋部１３が装着されている。すなわち、蓋部１３の嵌合溝４９に、本体部１２の開放端が嵌合し、本体部１２の開放側の面が蓋部１３によって閉塞されている。より具体的には、本体部１２の側面壁５２が蓋部１３の外側嵌合溝４９ａに嵌合し、本体部１２の第一主仕切壁１７ａと第二主仕切壁１７ｂが蓋部１３の内側嵌合溝４９ｂに嵌合する。そしてこれにより、中和装置１１は、図１１に示すように、側面壁５２沿いと、ドレン導入室２１沿いがシールされた状態となる。
【００６６】
また、この状態において、蓋部１３に設けられたドレン導入側接続部３５及び電極挿通孔４５〜４８は、図３に示すように、ドレン導入室２１の直上に位置し、蓋部１３における給水部３３は、有底空間１６の直上に位置する。特に、給水部３３は、有底空間１６の内部側において、有底空間底面壁５１ｂのほぼ真ん中に位置し、有底空間１６を形成する側面壁５２、底面壁５１、隔壁１９に対して、それぞれ一定距離（本実施形態では２５ｍｍ）以上離された配置とされている。
そして、電極挿通孔４５〜４８には、各電極５５〜５８が挿着されている。
【００６７】
貯留部１５の内部では、一部の領域に所定量の中和剤が充填されている。具体的には、中和剤は、貯留部１５の第一中和室２２及び第二中和室２３に充填されており、図１５に示すように、第一中和室２２の中和剤の嵩が、第二中和室２３の中和剤の嵩よりも高くなるように配分されている。このとき、第一中和室２２及び第二中和室２３に充填された中和剤の上部側は、第一補助仕切壁１８ａの切欠き部３１まで到達しているが、網状部材７０によって、中和剤の他室への移動が阻止されている。また、第一中和室２２においては、充填された中和剤の上部側が、有底空間１６まで到達しているが、隔壁１９によって、有底空間１６内への侵入が阻止されている。
【００６８】
次に、本実施形態の燃焼装置１の動作について説明する。
本実施形態の燃焼装置１は、中和装置１１内に形成される水封を維持するべく、中和装置１１に給水する中和器給水機能が備えられている。すなわち、貯留部１５は、配置された電極５５〜５８によって、水位が監視されている。そして、それらの電極５５〜５８（特に給水制御電極５７）によって、貯留部１５における水位が所定値以上であることが確認されなければ、中和器給水機能が働いて、貯留部１５に強制的に上水が給水される。すなわち、燃焼装置１の設置直後においては、当然ながら、貯留部１５にドレンが存在しないため、中和器給水機能が働き、貯留部１５内の水位が所定値に達するまで給水される。
【００６９】
中和器給水機能による貯留部１５への給水は、電極５５〜５８の信号に基づいて、給水源から上水が供給され、中和器給水管９及び給水部３３を介して、有底空間１６内に導入される。すなわち、上水は、有底空間１６の有底空間底面壁５１ｂの直上から流入し、スリット部２７を介して、貯留部１５に吐出する。
【００７０】
貯留部１５に供給された上水は、図１６（ａ）に示すように、まず第一中和室２２に導入される。そして、上水の供給が継続されて、第一中和室２２内において水位を増すと、その水位が第一主仕切壁１７ａのドレン上流側開口３０に達する。その後、ドレン導入室２１が第一中和室２２と同一の水位に達するまでは、さらに上水が継続的に導入されても、第一中和室２２の水位は増すことはなく、図１６（ｂ）に示すように、ドレン導入室２１側に流出する。そして、ドレン導入室２１の水位が第一中和室２２の水位に達すると、第一中和室２２とドレン導入室２１の水位は、ほぼ平衡に増していく。
【００７１】
その後、さらに上水の供給が継続されると、図１６（ｃ）に示すように、第一中和室２２とドレン導入室２１の水位が、給水制御電極５７の下端部に達する。そして、この水位になった時点で、給水制御電極５７に通電が生じ、燃焼動作を実行し得る状態となる（以下、このときの水位を燃焼可能水位という）。すなわち、貯留部１５が、燃焼可能水位となった時点で、給水が停止される。
【００７２】
なお、このときの第一中和室２２における水位は、主仕切壁１７ａのドレン上流側開口３０よりも十分高位置であり、第一補助仕切壁１８ａの切欠き部３１よりも低位置である。換言すれば、燃焼可能水位は、ドレン導入側配管３７を通過し、ドレン導入側接続部３５からドレン導入室２１に流入された燃焼ガスが、それより下流側に流通し得ない水位である。
【００７３】
このようにして、本実施形態の燃焼装置１あるいは中和装置１１の設置直後においては、中和器給水機能によって、十分な水位を確保するための中和装置１１への給水初期動作が実行される。
以下、中和装置１１への給水初期動作後における、燃焼装置１の動作として説明する。
【００７４】
燃焼装置１は、例えば、カラン等が開かれて給湯の要求があると、図示しない入水配管に上水が流れ、入水配管の中途に設けられた図示しない流量センサが流量を検知することにより、燃焼部２が燃焼動作を開始する。そして、その燃焼動作に伴って発生した燃焼ガスは、燃焼ケース５を下方に向けて流れる。そして、その燃焼ガスは、一次熱交換器２０が配置された領域に流入し、さらに下流の二次熱交換器２５が配置された領域に導入される。そして、二次熱交換器２５で熱交換された燃焼ガスは、排気筒１０から外部に排気される。
【００７５】
一方、図示しない入水配管を介して外部から供給されてきた上水は、最初に、二次熱交換器２５に導入される。二次熱交換器２５に導入された上水は、主に燃焼ガスに含まれた潜熱を回収し、これにより加熱される。これに伴い、燃焼ガス中に含まれている水蒸気が凝縮し、二次熱交換器２５の表面等にドレンが発生する。
【００７６】
二次熱交換器２５で加熱された上水が流出すると、一次熱交換器２０の上流側から導入される。一次熱交換器２０に導入された上水は、燃焼ガスとさらに熱交換して加熱される。すなわち、一次熱交換器２０では、燃焼ガス中の主に顕熱を回収し、これにより加熱される。このようにして、一次熱交換器２０において加熱された上水は、一次熱交換器２０の下流側から流出し、給湯先となるカランや浴槽等に向けて供給される。
【００７７】
そして、上記したように、燃焼装置１では、二次熱交換器２５における熱交換に伴ってドレンが発生する。ここで発生したドレンは、二次熱交換器２５の図示しない回収部に集まり、ドレン排出系統７を通じて外部に排水される。
【００７８】
具体的に説明すると、前記回収部に回収されたドレンは、ドレン導入側配管３７を通過して、ドレン導入側接続部３５から中和装置１１に導入される。すなわち、二次熱交換器２５で発生したドレンは、ドレン導入側接続部３５を介して、貯留部１５のドレン導入室２１に流入する。また、これと同時又は別のタイミングに、ドレン導入室２１に燃焼ガスが流入する。
【００７９】
そして、ドレン導入室２１に流入したドレンは、ドレン上流側開口３０から第一中和室２２に流出する。そして、このドレンは、第一中和室２２内に充填された中和剤と反応して中和が行われる。一方、ドレン導入室２１に流入した燃焼ガスは、給水初期動作により形成された水封により、第一中和室２２側に流出することはない。
【００８０】
その後、継続的に燃焼動作が行われ、貯留部１５にさらなるドレンの導入があれば、ドレン導入室２１及び第一中和室２２の水位が平衡に増していく。そして、図１７（ａ）に示すように、第一補助仕切壁１８ａの切欠き部３１に達すると、ドレンはその第一補助仕切壁１８ａを乗り越えて、第二中和室２３側に流出する。第二中和室２３に流入したドレンは、第二補助仕切壁１８ｂの壁面沿いスリット３２を迂回して、一次空間６５から二次空間６６に流れて、一定水位まで貯留される。そして、その水位が第三補助仕切壁１８ｃのドレン下流側開口３４に達すれば、ドレンが三次空間６７に流出する。その後、さらなるドレンの導入が続けば、第二中和室２３全体の水位が平衡に増して、その水位が排出底面壁５１ｃに到達し、ドレン排出部３６を介して、ドレン外部排出配管３８から外部に排出される。
【００８１】
このように、燃焼動作が開始されて、ドレンが正常に外部に排出されている状態においては、貯留部１５の水位は常に一定に維持された状態となる（以下、正常水位という）。すなわち、図１８に示すように、ドレン導入室２１及び第一中和室２２では、第一補助切欠部３１の下端部の高さと同等の水位（上流側正常水位）が維持され、第二中和室２３では、排出底面壁５１ｃの高さと同等の水位（下流側正常水位）が維持される。
【００８２】
そして、この正常水位は、上水が通過する有底空間１６の位置よりも低位置とされている。具体的には、上流側正常水位は、下流側正常水位よりも高位置にあり、有底空間１６の有底空間底面壁５１ｂよりも低位置にある。換言すれば、上流側正常水位は、燃焼可能水位よりも高位置であり、有底空間１６のスロープ部５４の下端部よりも低位置にある。
なお、給湯初期動作の後であっても、何らかの影響を受けて、電極５５〜４８によって、貯留部１５内の水位が十分な水位ではないと確認された場合においては、給水初期動作と同様の制御が実行される。
【００８３】
以上のように、本実施形態では、貯留部１５におけるドレンの正常水位よりも高位置に、底面壁５１を有した有底空間１６を設け、その有底空間１６を貯留部１５に対して水平方向に張り出す位置、つまりドレンの水面の直上から逸脱する位置に配したため、突発的に、中和装置１１が傾いたり、振動するようなことがあっても、ドレンが有底空間１６側に浸水する可能性が低い。すなわち、突発的に中和装置１１が傾いたり、振動するような場合は、通常、水面が単に上下に波打つだけであることが多く、水面より高位置であって、さらに水平方向に離れた位置において、その波の影響が及ぶ可能性は殆どない。したがって、本実施形態によれば、貯留部１５におけるドレン側流路と、有底空間１６内の中央上部に位置する給水流路たる給水部３３とが、連結状態（クロスコネクション）となることがない。
【００８４】
また、本実施形態では、有底空間１６の上水の流れ方向下流側に、スリット部２７を備えた隔壁１９を設けたため、貯留部１５側に、有底空間１６が位置する高さまで中和剤を充填したとしても、スリット部２７からの給水を可能にしつつ、隔壁１９による中和剤の有底空間１６内への侵入を防止することができる。したがって、本実施形態によれば、有底空間１６から上水を吐出させる機能を確保しつつ、できるだけ多くの中和剤を第一中和室２２に充填することができる。
さらに、本実施形態では、第一補助仕切壁１８ａの切欠き部３１に網状部材７０を取り付けたため、切欠き部３１に到達するほどの中和剤が第一中和室２２に充填された場合であっても、中和剤が第二中和室２３側に侵入することを阻止することができる。
【００８５】
また、本実施形態では、有底空間１６にスロープ部５４を設け、スロープ部５４で上水の流速を増加して貯留部１５に吐出させる構成としたため、有底空間１６内で滞留する上水を減少させることができる。さらに、万一、有底空間１６内に侵入したドレンがあったとしても、スロープ部５４によって、貯留部１５側に戻すことができるため、有底空間１６内で滞留するドレンをなくすことができる。
【００８６】
また、本実施形態は、ドレン上流側開口３０と連通した縦長スリット５９を設けて、ドレン上流側開口３０よりも下方に存在するドレンを下流側に流すことができる構成としたため、例えば、燃焼装置１を長期間使用しないような場合に、ドレン導入室２１側のドレンをほぼ完全に排出することが可能となる。これにより、本実施形態では、貯留部１５内で、ドレンが凍結してしまうことを、予め防止することができる。
【００８７】
ここで、壁掛け型の燃焼装置１は、取り付け強度等の観点から、できるだけ軽量化を図りたいという要望がある。そこで、比較的重量物である中和剤の量に注目した。
ところで、本実施形態では、第二中和室２３は、第一中和室２２よりもドレンの流れ方向下流側であるため、酸性度が弱められたドレンが流れ込んでくる。また、一般的に、中和剤は液体に浸かっている場合、経時的に消耗することが知られている。
そこで、本実施形態では、第二中和室２３におけるドレンに浸り得る中和剤を減量するべく、第二中和室２３の内部を、底面壁５１方向（高さ方向下方）に向けて開口面積が減縮する構造とした。これにより、第二中和室２３に充填される中和剤は、所定の高さを基準に、高さ方向下方に向かうほど量が少なく、高さ方向上方は量が一定となり、従来の総量に比べると、減縮させることが可能である。すなわち、本実施形態では、第二中和室２３において、ドレンが浸かり得る部分を下方に向かって縮小される構造にすると共に、ドレンが浸かり得ない部分を縮小されない構造にすることで、中和剤の総量が従来に比べて減縮させることが可能となる上、ドレンを適度に中和しつつ、待機させるべき中和剤を十分に確保することができる。
【００８８】
上記実施形態では、有底空間１６を貯留部１５のドレンの水面から逸脱した位置に配した構成を示したが、本発明はこれに限定されず、有底空間を貯留部のドレンの水面の直上に配置した構成であっても構わない。
【００８９】
上記実施形態では、貯留部１５の正常水位が、有底空間１６の底面壁５１よりも低位置となる構成を示したが、本発明はこれに限定されず、貯留部の正常水位が、有底空間の底面壁よりも高位置となる構成であっても構わない。すなわち、図１９に示すように、各スリット７２の下端縁と、隔壁７１の下端部とに落差があれば、その落差分の範囲内であれば、正常水位が有底空間の底面壁５１ｂよりも高位置であっても、ドレンが有底空間内に浸水するおそれがない。ただし、この構成にすれば、上水の滞留部ができる可能性があるため、上記実施形態の方が好ましい。
【００９０】
上記実施形態では、有底空間１６に設けた隔壁１９に、上水の通水孔としてスリット状の孔が形成された構成を示したが、本発明はこれに限定されず、隔壁に、円形や方形、あるいは多角形状の孔を複数あるいは１つ形成した構成であっても構わない。要するに、隔壁の通水孔は、上水の通水を可能にすると共に、中和剤の有底空間側への侵入を防止できればいかなる形状のものであっても構わない。
【００９１】
上記実施形態では、主仕切壁１７や補助仕切壁１８にドレンの通過口として、主に方形状の開口やスリットあるいは切欠きを設けた構成を示したが、本発明ではこれに限定されず、曲線を含んだ形状や、多角形状のものであっても構わない。なお、第一主仕切壁１７ａに関しては、歪な形状のものを示したが、方形状であったり、多角形状のものであっても構わない。
【００９２】
上記実施形態では、平面視形状がほぼ円形状の有底空間１６を備えた構成を示したが、本発明はこれに限定されず、平面視形状が方形や多角形、あるいは曲線を含んだ形状等であっても構わない。
【００９３】
また、上記実施形態では、液体燃料を使用する逆燃式の燃焼装置１に中和装置１１を適用した構成を示したが、本発明はこれに限定されず、ガス燃料を使用する一般的な燃焼装置に適用した構成であっても構わない。
【００９４】
また、上記実施形態では、貯留部１５の一部の領域に中和剤を充填した構成を示したが、本発明はこれに限定されず、貯留部１５の全ての領域に中和剤を充填した構成を示しても構わない。
【００９５】
上記実施形態では、第一中和室２２と第二中和室２３において、中和剤の充填配分を変化させた構成を示したが、本発明はこれに限定されず、中和剤の充填配分を変化させない構成であっても構わない。
【００９６】
上記実施形態では、第一補助仕切壁１８ａの切欠き部３１に網状部材７０を取り付けた構成を示したが、本発明はこれに限定されず、切欠き部３１に替えて、第一補助仕切壁１８ａ自体に中和剤が通過し得ない形状の開口を設けた構成としても構わない。
また、第一補助仕切壁１８ａに、網状部材７０を取り付けたり、中和剤が通過し得ない開口を設けることなく、単に切欠き部３１を備えた構成であっても構わない。
【００９７】
上記実施形態では、有底空間底面壁５１ｂの直上に給水口２９を配した構成を示したが、本発明はこれに限定されず、有底空間１６を形成する側面壁５２に位置するように給水口２９を設けた構成であっても構わない。要するに、給水口２９は、有底空間底面壁５１ｂよりも高位置に設けた構成であればよい。
【００９８】
上記実施形態では、第一主仕切壁１７ａに縦長スリット５９を設けた構成を示したが、本発明はこれに限定されず、設けない構成であっても構わない。
【符号の説明】
【００９９】
１    燃焼装置
７    ドレン排出系統
９    中和器給水管
１１    中和装置
１５    貯留部
１６    有底空間
１７    主仕切壁
１８    補助仕切壁
１９    隔壁
２１    ドレン導入室
２２    第一中和室
２３    第二中和室
２５    二次熱交換器
２７    スリット部（吐出部）
２９    給水口
３６    ドレン排出部
５１ｃ    有底空間底面壁
５４    スロープ部（傾斜部）
【図１】
0005769018.tif 000002
【図２】
0005769018.tif 000003
【図３】
0005769018.tif 000004
【図４】
0005769018.tif 000005
【図５】
0005769018.tif 000006
【図６】
0005769018.tif 000007
【図７】
0005769018.tif 000008
【図８】
0005769018.tif 000009
【図９】
0005769018.tif 000010
【図１０】
0005769018.tif 000011
【図１１】
0005769018.tif 000012
【図１２】
0005769018.tif 000013
【図１３】
0005769018.tif 000014
【図１４】
0005769018.tif 000015
【図１５】
0005769018.tif 000016
【図１６】
0005769018.tif 000017
【図１７】
0005769018.tif 000018
【図１８】
0005769018.tif 000019
【図１９】
0005769018.tif 000020